(57)【要約】【課題】  本体ケースへ着脱自在に設けられるパネルの取付を容易にするとともに、パネルが本体ケースへ確実に固定されるようにした空気調和機を提供する。【解決手段】  熱交換器及び送風機を収納した本体ケース１と、この本体ケース１の前面を覆う前面パネル３と、本体ケースの上面を覆う天面パネル５とを備えた空気調和機において、前記前面パネル３及び天面パネル５は連結された状態で本体ケース１に着脱自在に取り付けられ、前面パネル３には下方に突出する凸部３Ａを設け、本体ケース１には前記凸部３Ａを掛止する凹部３１を設け、この凹部３１の前壁１８を側面から見て略三角状に形成し前面に傾斜面２２を設けた。【選択図】      図６
2004245571.tif 000002
【特許請求の範囲】
【請求項１】
熱交換器及び送風機を収納した本体ケースと、この本体ケースの前面を覆う前面パネルと、本体ケースの上面を覆う天面パネルとを備えた空気調和機において、
前記前面パネル及び天面パネルは連結された状態で本体ケースに着脱自在に取り付けられ、前面パネルには下方に突出する凸部を設け、本体ケースには前記凸部を掛止する凹部を設け、この凹部の前壁を側面から見て略三角状に形成し前面に傾斜面を設けたことを特徴とする空気調和機。
【請求項２】
前記前面パネルにこの前面パネルを本体ケースへ固定する係止手段を設けたことを特徴とする請求項１に記載の空気調和機。
【請求項３】
前記凸部及び凹部は少なくとも左右２ヵ所に設けたことを特徴とする請求項１または２に記載の空気調和機。
【請求項４】
前記天面パネルの後上面に位置合わせ用のパネル表示部を設け、このパネル表示部に対応する本体ケースの前面上部に位置合わせ用のケース表示部を設けたことを特徴とする請求項１または２に記載の空気調和機。
【発明の詳細な説明】
【技術分野】
【０００１】
本発明は、本体ケースに着脱自在に取り付けられるパネルを備えた空気調和機に関する。
【背景技術】
【０００２】
従来、熱交換器及び送風機を収納した本体ケースと、吸込み格子を有して裏面にエアフィルタを取り付けた前面パネルとを備えた空気調和機は知られている。
【０００３】
この種の空気調和機は、エアフィルタのみならず、前面パネルを簡易に清掃できるようにするため、本体ケースと前面パネルとを係止する係止手段を備え、前面パネルが本体ケースに対し工具を使わずに着脱可能になっている。そして、前記係止手段が、例えば、本体ケース及び前面パネルの上下にそれぞれ設けられている（例えば、特許文献１参照。）。
【特許文献１】特開２０００−３９１７３号公報
【発明の開示】
【発明が解決しようとする課題】
【０００４】
ところで、前述したような上下に係止手段を備えている空気調和機の中には、上下どちらか一方の係止手段が外れていても前面パネルが本体ケースに装着されることがあり、特に、下部の係止手段のみで装着されてしまう場合には、下部の係止手段を外したときに前面パネルが落下する危険性をはらんでいる。
【０００５】
また、パネルの上部が後方へ延出した形状のものでは、パネルを本体ケースへ取付ける場合、パネルと本体ケースとの位置合わせが難しいことがある。
【０００６】
本発明の目的は、上述した従来の事情に鑑みなされたものであり、本体ケースへ着脱自在に設けられるパネルの取付を容易にするとともに、パネルが本体ケースへ確実に固定されるようにした空気調和機を提供することにある。
【課題を解決するための手段】
【０００７】
上記目的を達成するために、請求項１記載の発明は、熱交換器及び送風機を収納した本体ケースと、この本体ケースの前面を覆う前面パネルと、本体ケースの上面を覆う天面パネルとを備えた空気調和機において、前記前面パネル及び天面パネルは連結された状態で本体ケースに着脱自在に取り付けられ、前面パネルには下方に突出する凸部を設け、本体ケースには前記凸部を掛止する凹部を設け、この凹部の前壁を側面から見て略三角状に形成し前面に傾斜面を設けたことを特徴とする。
【０００８】
請求項２に記載の発明は、請求項１に記載の空気調和機において、前記前面パネルのにこの前面パネルを本体ケースへ固定する係止手段を設けたことを特徴とする。
【０００９】
請求項３に記載の発明は、請求項１または２に記載の空気調和機において、前記凸部及び凹部は少なくとも左右２ヵ所に設けたことを特徴とする。
【００１０】
請求項４に記載の発明は、請求項１または２に記載の空気調和機において、前記天面パネルの後上面に位置合わせ用のパネル表示部を設け、このパネル表示部に対応する本体ケースの前面上部に位置合わせ用のケース表示部を設けたことを特徴とする。
【発明の効果】
【００１１】
本発明によれば、本空気調和機は前面パネル及び天面パネルが連結された状態で本体ケースへ取付けられ、前面パネルの上部内側に下方に突出する凸部を設け、本体ケースに前記凸部を掛止する凹部を設け、この凹部の前壁を横から見て三角形状に形成したので、パネル取付の際に前記凸部が凹部へ掛止されやすくなるとともに、掛止されないときには凸部が前壁前面の傾斜面をずり落ち、パネルを正常に取付けた場合に比べその位置が大きくずれる。これにより作業者がパネルの掛止不備に気付き再度やり直すので、パネルの掛止不備による落下の危険性を低く抑えることができる。
【００１２】
また、前記天面パネルの後上部及び本体ケースの前面上部にそれぞれ位置合わせ用の表示部を設けたので、パネル取付時のパネルと本体ケースとの位置合わせが容易になりパネル取付作業を容易に行うことができる。
【実施例１】
【００１３】
以下、本発明の一実施形態を添付した図面を参照して説明する。
【００１４】
図１は本発明の一実施形態における壁掛け型空気調和機を示す正面図、図２は図１の縦断面図である。
【００１５】
図１、図２において、空気調和機１０は、本体ケース１と、この本体ケース１に取り付けられる前面パネル３及び天面パネル５とを備えている。前面パネル３には前面吸気口４を有し、天面パネル５には上面吸気口６を有している。
【００１６】
前記本体ケース１は、合成樹脂を材料として横長に形成され、本体ケース１内の略中心位置には長手方向に延設されたクロスフローファン（送風機）９が設けられ、このクロスフローファン９と前面吸気口４及び上面吸気口６との間に熱交換器７が配設されている。
【００１７】
熱交換器７の下端部には、当該熱交換器７で結露して滴下する水を受け止めるドレンパン１１が設けられ、このドレンパン１１は本体ケース１に固定されている。
【００１８】
本体ケース１の下端部には空気調和された空気を室内に吹き出すための吹出口１２が形成され、この吹出口１２には吹き出す空気の方向を設定するための風向調節器１３が設けられている。
【００１９】
図３は図１から前面パネル及び天面パネルを外した状態を示す斜視図、図４は前面パネル及び天面パネルを表側から見た斜視図、図５は前面パネル及び天面パネルを裏側から見た斜視図、図６はパネルが本体ケースへ取り付けられた状態を示す図１のＢ−Ｂ断面図である。
【００２０】
図３において、本体ケース１は左右両端部に側板１４、１４と、略中央に本体ケース補強用の縦桟１５とを有し、この縦桟１５と両側板１４、１４の上部には、天面パネル５を載置する天面部１７Ｃが形成されている。これら天面部１７Ｃは前下がりに傾斜する傾斜面を有し右天面部１７Ｃが他の天面部１７Ｃより幅広になっている。左右の天面部１７Ｃの前部には、Ｖ字状の凹部２１を有する掛止部１７Ｄ、１７Ｄが設けられ、これら掛止部１７Ｄ、１７Ｄは、図６に示すように、前壁１８及び後壁１９を有し後壁１９の上縁は前壁１８の上縁よりも高くなっている。前壁１８は略三角形状に形成され前壁１８の前面の傾斜面２２は、その下端部２２ａが本体ケース１の前方に突出している。
【００２１】
また、前記縦桟１５の前面上部には位置合わせ用の本体表示部１６が設けられている。この本体表示部１６には、例えば、矢印を印した表示ラベルが貼付されている。
【００２２】
図４、図５において、前面パネル３の左右内側の上端部には前記掛止部１７Ｄに対応する位置に逆３角形状の凸部３Ａ、３Ａが設けられている。これら凸部３Ａ、３Ａは前記掛止部１７Ｄとともに、前面パネル３及び天面パネル５と本体ケース１とを連結する掛止手段を構成している。
【００２３】
また、前面パネル３の上下方向の略中央位置に横方向に延びる吸込み格子３１（図１参照）が形成されている。この吸込み格子３１の裏側には、エアフィルタ３３が取り付けられ、このエアフィルタ３３は、前面パネル３の裏面のフィルタ係止部３５に、着脱自在に係止されている。
【００２４】
また、前記天面パネル５はそれ自体フィルタを構成している。すなわち、天面パネル５は、複数の補強用の縦桟３６と、複数の補強用の横桟３７とを有するフィルタ枠に、網状のフィルタ素材を一体化させて構成されている。また天面パネル５の略中央部の縦桟４３には後上部に本体ケース１との位置合わせ用のパネル表示部３８が設けられている。このパネル表示部３８には、例えば、天面パネル５と一体に成型した矢印が形成されている。
【００２５】
ところで、前面パネル３及び天面パネル５は、９０度余りの角度で連結できるようになっており、連結され一体の状態で、本体ケース１に対し重ね合わされ取り付けられる。
【００２６】
これらパネル３、５を本体ケース１へ取り付ける場合、前面パネル３の両側下部を両手でつかみ、パネル表示部３８と本体表示部１６とを目安にパネル３、５を本体ケース１１の天面部１７Ｃまで運ぶ。そして、天面パネル５と本体ケース１との位置を合わせる。このパネル表示部４１ａと本体表示部と１６を設けたことにより本体ケース１と天面パネル５との位置合わせを容易に行うことができる。
【００２７】
図７は前面パネル及び天面パネルの縦断面斜視図、図８は図７の一部拡大図、図９は右側の第２係止手段を後方から見た斜視図である。
【００２８】
図７、図８において、前記前面パネル３の前面吸気口４の下方中央内側には第１係止片４１が後方へ突出して形成されており、その先端が左右に膨らんでいる。一方、この第１係止片４１に対応する本体ケース１の位置には左右に並設された２つの第１係合片４３、４３が設けられている。この第１係合片４３、４３は前方へ突出しその先端がそれぞれ内側に鉤状に形成されている。
【００２９】
これら第１係止手段Ｋ１は、合成樹脂で作られ柔軟性を有するので、第１係合片４３、４３の前方から第１係止片４１を押し入れることにより、第１係止片４１の先端が第１係合片４３、４３の先端を挟持する。また第１係止片４１を前方へ引抜くことにより係止状態から容易に外れ前面パネル３と本体ケース１とを着脱自在に連結することができる。これら第１係合片４３は、第１係止片４１とともに、前面パネル３と本体ケース１とを連結する第１係止手段Ｋ１を構成している。
【００３０】
図６、図９において、前面パネル３の内側下部の両端には、第２係止片４５、４５が設けられ、各第２係止片４５には、左右外方に突出するボス４５ａが形成されている。一方、これら第２係止片４５、４５に対応する本体ケース１には、第２係合部４６、４６が設けられている。各第２係合部４６には、横向きの固定孔４７を有する縦板４８と、この縦板４８につながり本体ケース１の下外側に設けら左右に摺動するつまみ４９とを備えている。つまみ４９を内方へ摺動操作することにより縦板４８が連動し固定孔４７がボス４５ａに嵌合する。つまみ４９を外方へ摺動操作することによりボス４５ａが固定孔４７から外れるようになっている。これら固定孔４７とボス４５ａとの嵌脱により前面パネル３と本体ケース１とを着脱自在に連結することができる。これら第２係止片４５、４５と第２係合部４６、４６とは第２係止手段Ｋ２を構成している。
【００３１】
次に、前面パネル３及び天面パネル５とが本体ケースに正常に連結されない場合の説明をする。図１０は掛止手段が外れた状態を示す図１のＢ−Ｂ断面に相当する図、図１１は掛止手段が外れた状態を示す図１のＡ−Ａ断面に相当する図である。
【００３２】
図１０において、本体ケース１の凸部３Ａが掛止部１７Ｄの開口より前方に掛かった場合、凸部３Ａの先端が傾斜面２２に沿ってすべり落ち、凸部３Ａが下端部２２ａより前方まで移動する。これにより、前面パネル３は正常に取付けられた場合に比べ位置が大きくずれるので、ボス４５ａと固定孔４７との位置がずれて第２係止手段Ｋ２を係止することはできない。
【００３３】
一方、図１１において、第１係止手段Ｋ１も同様に、前面パネル３の位置が大きくずれているので、第１係止片４１が第１係合片４３まで届かず係止されることはできない。
【００３４】
このように、前記凸部３Ａが掛止部１７Ｄの凹部２１に掛止されない場合には、凸部３Ａが傾斜面２２をすべり落ち、凸部３Ａが少なくとも下端部２２ａの位置まで移動するので、本体ケース１と前面パネル３との位置が大きくずれて第１及び第２係止手段Ｋ１、Ｋ２が係止できなくなる。これにより前面パネル３及び天面パネル５ががたつくので、作業者は、パネル３、５が掛止されていないことに気付く。作業者はパネル取付作業を再度行うので、パネル３、５が確実に固定され、取付不備によるパネル落下の危険性を低く抑えることができる。
【００３５】
以上のように構成された本体ケース１と、前面パネル３及び天面パネル５とにおいて、前面パネル３及び天面パネル５は、略９０度の角度で一体となって連結されており、連結されたパネルの下部（前面パネルの下部）を両手でつかみ、図１２に示すように、パネル位置表示部４１ａと前記本体位置表示部１４ａとを目安にして、天面パネル５が本体ケース１の天面部１７Ｃに乗る位置まで運ぶ。そして前面パネル３を本体ケース１側に押し込む。すると、前面パネル３に形成された一対の凸部３Ａが、本体ケース１の掛止部１７Ｄに掛止される。その後、前面パネル３を本体ケース１側に押すことにより、第１係止片４１が第１係合部４３に挟持される。そして、左右両下縁部のつまみ４９を摺動操作することにより、固定孔４７がボス４５ａに嵌合される。これにより前面パネル３と天面パネル５とが本体ケース１の上に重ね合わされて固定される。
【００３６】
以上、一実施例に基づいて、本発明を説明したが、本発明はこれに限定されるものでなく、要旨を逸脱しない範囲内で適宜変更可能である。
【００３７】
本実施例では空気調和機の中央部及び下部に第１係止手段Ｋ１と第２係止手段Ｋ２の２種類を設けているが、これらの係止手段は２種類に限定されるものではなく、１種類または３種類以上であっても良い。またその機構も本実施例に限定されるものではない。
【図面の簡単な説明】
【００３８】
【図１】本発明の一実施形態における壁掛け型空気調和機を示す正面図である。
【図２】図１の縦断面図である。
【図３】図１から前面パネル及び天面パネルを外した状態を示す斜視図である。
【図４】前面パネル及び天面パネルを表側から見た斜視図である。
【図５】前面パネル及び天面パネルを裏側から見た斜視図である。
【図６】図６はパネルが本体ケースへ取り付けられた状態を示す図１のＢ−Ｂ断面図である。
【図７】前面パネル及び天面パネルの縦断面斜視図図５の一部拡大図である。
【図８】図７の一部拡大図である。
【図９】右側の第２係止手段を後方から見た斜視図である。
【図１０】掛止手段が外れた状態を示す図１のＢ−Ｂ断面に相当する図である。
【図１１】掛止手段が外れた状態を示す図１のＡ−Ａ断面に相当する図である。
【図１２】前面パネル及び天面パネルを本体ケースへ取り付ける途中の状態を示す斜視図である。
【符号の説明】
【００３９】
１  本体ケース
３  前面パネル
３Ａ  凸部（掛止手段）
４  前面吸気口
５  天面パネル
６  上面吸気口
７  熱交換器
９  クロスフローファン
１０  空気調和機
１１  ドレンパン
１２  吹出口
１３  風向調節器
１４  側板
１５  縦桟
１６  本体位置表示部
１７Ｃ  天面部
１７Ｄ  掛止部（掛止手段）
１８  前壁（掛止手段）
１９  後壁（掛止手段）
２１  凹部（掛止手段）
２２  傾斜面
２２ａ  下端部
３６  縦桟
３７  横桟
３８  パネル表示部
４１  第１係止片（第１係止手段）
４３  第１係合片（第１係止手段）
４５  第２係止片（第２係止手段）
４５ａ  ボス（第２係止手段）
４７  固定孔（第２係止手段）
４８  縦板（第２係止手段）
４９  つまみ（第２係止手段）
Ｋ１  第１係止手段
Ｋ２  第２係止手段
【図１】
2004245571.tif 000003
【図２】
2004245571.tif 000004
【図３】
2004245571.tif 000005
【図４】
2004245571.tif 000006
【図５】
2004245571.tif 000007
【図６】
2004245571.tif 000008
【図７】
2004245571.tif 000009
【図８】
2004245571.tif 000010
【図９】
2004245571.tif 000011
【図１０】
2004245571.tif 000012
【図１１】
2004245571.tif 000013
【図１２】
2004245571.tif 000014